(57)【要約】【課題】  画面表示部１に表示を行う画面表示装置で、画面表示部１の清掃を容易化する。【解決手段】  画面表示部１に操作受付領域を表示して当該操作受付領域の操作を受け付ける第１のモードを制御する第１の制御手段１、４と、前記操作受付領域の操作を非受付状態として画面表示部１の全体或いは大部分に単一の色を時間の経過に応じてその色を変化させて表示する第２のモードを制御する第２の制御手段１、４と、第１のモードと第２のモードを切り替えるモード切替手段１、４を備えた。画面表示部１の清掃の際には、第２のモードへ切り替える。【選択図】  図１
2007026245.tif 000002
【特許請求の範囲】
【請求項１】
画面表示部に表示を行う画面表示装置において、
前記画面表示部に操作受付領域を表示して当該操作受付領域の操作を受け付ける第１のモードを制御する第１の制御手段と、
前記操作受付領域の操作を非受付状態として前記画面表示部の全体或いは大部分に単一の色を時間の経過に応じてその色を変化させて表示する第２のモードを制御する第２の制御手段と、
前記第１のモードと前記第２のモードを切り替えるモード切替手段と、
を備えたことを特徴とする画面表示装置。
【請求項２】
請求項１に記載の画面表示装置において、
前記第２の制御手段は、前記第２のモードにおいて、前記画面表示部にモード切替のための複数の操作受付領域を離隔して表示して当該複数の操作受付領域の操作を受け付け、
前記モード切替手段は、前記第２のモードにおいて、前記第２の制御手段により前記モード切替のための複数の操作受付領域の操作が所定の順序で受け付けられたことに応じて、前記第１のモードへ切り替える、
ことを特徴とする画面表示装置。
【請求項３】
請求項１又は請求項２に記載の画面表示装置において、
前記モード切替手段は、前記第２のモードへ切り替えられてから経過した時間を計時する計時手段を有しており、前記計時手段により計時された時間が所定の時間に達したことに応じて前記第１のモードへ切り替える、
ことを特徴とする画面表示装置。
【発明の詳細な説明】
【技術分野】
【０００１】
本発明は、画面表示部に表示を行う画面表示装置に関し、特に、画面表示部の清掃を容易化した画面表示装置に関する。
【背景技術】
【０００２】
例えば、通信システムを構成する通信装置などでは、タッチセンサーで動作する画面表示装置が備えられて使用されている。このような画面表示装置が有する画面表示部のタッチセンサーによる操作で通信が確立するような場合には、画面表示部の清掃を行うときには、画面表示部の電源を切ってから画面表示部の汚れを取るための清掃が行われていた。
しかしながら、通信装置などでは、画面表示部の電源を切った状態で清掃するときには、緊急連絡などの着信に対応することができず、特に、緊急連絡度が高い通信システムでは好ましくない。一方、画面表示部の電源を切らないで清掃するときには、誤ってタッチセンサーが動作してしまって意図しない画面動作へ遷移してしまうことがあり得る。
【発明の開示】
【発明が解決しようとする課題】
【０００３】
上述したことから、画面表示部を起動状態としたまま、誤動作を防止して、画面表示部の清掃を可能とすることが必要である。
そこで、これを実現するために、清掃時にタッチセンサーを無効状態とすることが考えられるが、人により容易に清掃を行うことを可能にすることが望まれる。
本発明は、このような従来の事情に鑑み為されたもので、画面表示部の清掃を容易化することができる画面表示装置を提供することを目的とする。
【課題を解決するための手段】
【０００４】
上記目的を達成するため、本発明に係る画面表示装置では、次のような構成により、画面表示部に表示を行う。
すなわち、第１の制御手段が第１のモードを制御し、この第１のモードにおいては、前記画面表示部に操作受付領域を表示して、当該操作受付領域の操作を受け付ける。また、第２の制御手段が第２のモードを制御し、この第２のモードにおいては、前記操作受付領域の操作を非受付状態（つまり、受け付けない状態）として、前記画面表示部の全体或いは大部分に単一の色を、時間の経過に応じてその色を変化させて、表示する。また、モード切替手段が、前記第１のモードと前記第２のモードを切り替える。
【０００５】
従って、第２のモードにおいては、第１のモード時に受け付け可能な操作が受け付けられない状態となるため、例えば、画面表示部の清掃により誤操作してしまうようなことを防止することができ、また、第２のモードにおいては、画面表示部に単一の色が表示されて、その色が時間の経過に応じて変化するため、例えば、それぞれの色が表示されているときに、その色に対して目立って見える種類の画面表示部の汚れを人により視認することを容易化することができ、これにより、画面表示部の清掃を容易化することができる。
【０００６】
ここで、画面表示部としては、例えば、操作受付領域や他の情報（例えば、文字や画像など）を表示する機能及び表示された操作受付領域が人により操作されたことを検出して受け付ける機能を有する画面を用いて構成される。
また、操作受付領域としては、種々なものが用いられてもよく、例えば、線で区切った枠や、枠とその中に表示される文字や数字との組み合わせや、周囲とは異なる色を有する領域などを用いることができ、具体例として、枠或いはその中に文字や数字が表示されて成るボタンのようなものを用いることができる。
また、画面表示部に表示する操作受付領域の大きさや数や位置としては、種々な態様が用いられてもよい。
また、操作受付領域の操作としては、例えば、人が指などにより操作受付領域の内部などの所定位置に触れるような操作を用いることができ、具体例として、画面上に表示されたボタンを人が指で押すような操作を用いることができる。
【０００７】
また、第２のモードにおいては、例えば、第１のモード時に表示される操作受付領域が表示されず、第１のモード時に受け付けが可能な操作が受け付けられない状態となる。なお、第２のモードにおいても、例えば、第１のモードへ切り替えるための操作受付領域のように、必要最小限の操作受付領域が、画面内の小さい面積を用いて表示されてもよい。
また、画面表示部の全体或いは大部分に単一の色を表示させることに関して、画面表示部の大部分としては、例えば、第２のモードにおいて、第１のモードへ切り替えるための操作受付領域のようなものが表示される場合には、当該操作受付領域以外の部分（大部分）を単一の色として、当該操作受付領域については他の色とする又はなるべく前記単一の色に合わせるようにする。
【０００８】
また、時間の経過に応じて色を変化させるタイミングとしては、種々な態様が用いられてもよく、例えば、予め設定された所定の周期で色を変化させる態様や、或いは、予め設定された周期的ではないタイミングで色を変化させる態様や、或いは、ランダムなタイミングで色を変化させる態様などを用いることができる。
また、時間の経過に応じて変化させる色としては、種々な態様が用いられてもよく、例えば、予め設定された所定の数の異なる色を順番に切り替えていくような態様や、或いは、複数の色の候補を用意しておいてその中からランダムに選択される色を順次切り替えていくような態様などを用いることができる。
【０００９】
また、例えば、予め設定された所定の数の異なる色をそれぞれ１回ずつ切り替えたら色の切り替えを停止する態様や、或いは、予め設定された所定の数の異なる色をそれぞれ１回ずつ切り替えたら再び最初から色の切り替えを行ってこれを繰り返す態様や、或いは、予め設定された所定の数の異なる色をそれぞれ１回ずつ切り替えることを所定の回数（所定のループ数）だけ行う態様や、或いは、ランダムに選択される色を順次切り替えていく場合に予め設定された所定の回数だけ色を切り替えたら色の切り替えを停止する態様などを用いることも可能である。
また、例えば、色の切り替えを停止させるための操作受付領域を画面表示部に表示して、当該操作受付領域が操作されたことに応じて、色の切り替えを停止させるような構成とすることも可能であり、或いは、色の切り替えを停止させるための操作部を画面上以外のところに設けて、当該操作部が操作されたことに応じて、色の切り替えを停止させるような構成とすることも可能である。
例えば、人により清掃が行われる状況などに応じて、ずっと色の切り替えが繰り返されるようにして人により様々な汚れを視認することを可能とすることや、或いは、色の切り替えは最初のうちの所定回数などだけにしてその間に人により汚れを視認するようなことが行われる。
【００１０】
また、色としては、種々な色が用いられてもよく、例えば、画面の汚れを目立たせる白や黒或いは他の色など、任意の色が用いられてもよい。
また、モード切替手段は、例えば、第１のモードから第２のモードへ切り替える機能や、第２のモードから第１のモードへ切り替える機能を有する。
また、モードの切り替えは、例えば、人により所定の操作が行われたことに応じて、或いは、予め設定された所定の条件（人による操作以外の条件）が満たされたことに応じて、実行される。
また、モードとしては、例えば、第１のモードや第２のモード以外のモードが設けられてもよい。
【００１１】
本発明に係る画面表示装置では、一構成例として、次のような構成とした。
すなわち、前記第２の制御手段は、前記第２のモードにおいて、前記画面表示部にモード切替のための複数の操作受付領域を離隔して表示して、当該複数の操作受付領域の操作を受け付ける。また、前記モード切替手段は、前記第２のモードにおいて、前記第２の制御手段により前記モード切替のための複数の操作受付領域の操作が所定の順序で受け付けられたことに応じて、前記第１のモードへ切り替える。
従って、第２のモードにおいて、画面表示部に複数の操作受付領域が離隔して表示されて、これらの操作受付領域が所定の順序で操作された場合に、第１のモードへ切り替えられるため、例えば、清掃を行う人の操作により、清掃が終了した時に第１のモードへ戻すようなことができる。
【００１２】
ここで、第２のモードにおいて表示されるモード切替のための複数の操作受付領域の数としては、種々な数が用いられてもよい。
また、第２のモードにおいて表示されるモード切替のための複数の操作受付領域を離隔して配置する態様としては、種々な態様が用いられてもよく、例えば、画面の隅を使用して、或いは、画面の隅と中心を使用して、操作受付領域間の距離を大きくするような態様を用いることができる。
【００１３】
また、モード切替のための複数の操作受付領域の操作が有効とされる操作順序（所定の順序）としては、種々な順序が用いられてもよく、例えば、１通りの順序ばかりでなく、２通り以上の順序が用いられてもよい。具体例として、２個のボタン（ここで、Ａボタン、Ｂボタンと言う）があり、Ａボタンの操作の後にＢボタンの操作があってもＢボタンの操作の後にＡボタンの操作があってもいずれも同様に有効な操作として受け付けるような構成とすることも可能である。また、３個以上のボタンがあり、任意の順序でよいが、３回の連続した操作でそれぞれのボタンが１回ずつ操作されたら有効な操作として受け付けるような構成とすることも可能である。
【００１４】
本発明に係る画面表示装置では、一構成例として、次のような構成とした。
すなわち、前記モード切替手段は、前記第２のモードへ切り替えられてから経過した時間を計時する計時手段を有している。そして、前記モード切替手段は、前記第２のモードにおいて、前記計時手段により計時された時間が所定の時間に達したことに応じて、前記第１のモードへ切り替える。
従って、第２のモードへ切り替えられてから所定の時間が経過した時に第１のモードへ切り替えられるため、例えば、第２のモードにおいて、清掃を行う人が第１のモードへ戻すことを忘れたような場合や、或いは、人の操作により第１のモードへ戻す機能が設けられない場合などにおいても、自動的に第１のモードへ戻ることができる。
ここで、第１のモードへ切り替えるための所定の時間としては、種々な時間が用いられてもよい。
【発明の効果】
【００１５】
以上説明したように、本発明に係る画面表示装置によると、画面表示部に操作受付領域を表示して当該操作受付領域の操作を受け付ける第１のモードと、前記操作受付領域の操作を非受付状態として画面表示部の全体或いは大部分に単一の色を時間の経過に応じてその色を変化させて表示する第２のモードを設け、画面表示部の清掃を行うような場合には、第２のモードへ切り替えられることにより、画面表示部の清掃を容易化することができる。
【発明を実施するための最良の形態】
【００１６】
本発明に係る一実施例を図面を参照して説明する。
図１には、通信システムを構成する通信装置に備えられた画面表示装置の構成例を示してある。
本例の画面表示装置は、画面表示部１と、ハンドセット（受話器）２と、通信部３と、制御部４から構成されている。
画面表示部１は、タッチセンサーの機能を有した画面から構成されており、例えば、画面に複数のボタンを表示して、人が指により触れたボタンに対応した動作を行うことにより、文字や番号などの情報を受け付けることや、所定の処理を実行することなどを行う。また、画面表示部１は、例えば、所定のメッセージ（タッチセンサーに関するもの以外のもの）を画面に表示することも可能である。
【００１７】
ハンドセット２は、通信相手との通話を行うためのものであり、例えば、人の手により持たれて、当該人により発せられる音声の情報を入力し、また、通信相手から伝送されてきた音声の情報を音声出力する。
通信部３は、通信回線を介して他の通信装置との間で音声或いは文字や画像の情報を通信する機能を有しており、また、通信回線と制御部４との情報交換を行う。
制御部４は、画面表示部１による表示処理や、ハンドセット２による音声入出力処理や、通信部３による通信処理を制御する。
【００１８】
まず、本例の画面表示部１により行われる動作の概要を説明する。
本例では、画面表示部１の画面表示状態として、「通常モード」と「お掃除モード」を設けてある。本例では、画面表示部１の画面が掃除されるときに「お掃除モード」が設定されるとし、それ以外のときには通常の状態であるとして「通常モード」が設定されるとする。
【００１９】
図２には、「通常モード」において画面表示部１により画面１１に表示される内容の一例を示してある。
「通常モード」のとき、画面１１には、タッチセンサーの機能として、例えば、通信を選択するための数字（図の例では、“１”〜“６”）やダイヤルを入力するための数字等（図の例では、“１”〜“９”及び“＊”、“０”、“＃”）が表示されるとともに、「お掃除モード」へ遷移するためのボタン１２が表示される。
「通常モード」のときの画面１１において、人が「お掃除モード」へ遷移するためのボタン１２を操作（例えば、指で押下）すると、画面表示部１は「通常モード」の画面表示を終了して「お掃除モード」の画面表示を行うように遷移する。
【００２０】
図３には、「お掃除モード」において画面表示部１により画面１１に表示される内容の一例を示してある。
「お掃除モード」のときの画面１１には、タッチセンサーの機能として、例えば、「通常モード」へ遷移するためのＡボタン２１及びＢボタン２２が表示される。本例では、Ａボタン２１は画面１１の左上の端に表示され、Ｂボタン２２は画面１１の右下の端に表示される。
なお、本例では、説明の便宜上から、「Ａボタン」や「Ｂボタン」という名称を用いているが、これらのボタン２１、２２の名称としては任意のものであってもよい。
「お掃除モード」のときの画面１１において、人が例えばＡボタン２１、Ｂボタン２２の順に操作（例えば、指で押下）すると、画面表示部１は「お掃除モード」の画面表示を終了して「通常モード」の画面表示を行うように遷移する。
【００２１】
また、「お掃除モード」のときの画面１１では、Ａボタン２１及びＢボタン２２の部分を除いて或いは当該部分も含めて、画面１１の全体にわたって同一の色（統一色）が表示されるようにする。このようにすると、人により画面の汚れを視認し易くなり、掃除を容易化することができる。
なお、Ａボタン２１やＢボタン２２は、例えば、画面１１の全体に比べて小さい領域に設けられる。また、Ａボタン２１やＢボタン２２では、「お掃除モード」において、例えば、各ボタン２１、２２の領域を区切る線を除いて画面１１の他の部分（大部分の領域）の色と同一の色が表示される態様や、或いは、各ボタン２１、２２の部分だけは画面１１の他の部分の色とは異なる色又は文字が表示されるような態様が用いられる。
【００２２】
また、「お掃除モード」のときの画面１１では、上記のような画面１１の全体にわたって表示される同一の色（統一色）が、時間の経過に従って、順次、異なる色へ変化する。このようにすると、画面の汚れの種類に応じて発見し易い背景色が異なることから、人により様々な種類の画面の汚れを視認し易くなり、掃除を容易化することができる。
ここで、画面１１に表示させる複数の色の種類や数や順序としては、種々な態様が用いられてもよい。
また、画面１１に表示させる色を変化させるタイミングとしては、種々なタイミングが用いられてもよく、例えば、周期的なタイミングが用いられてもよく、或いは、他のタイミングが用いられてもよい。
なお、色としては、例えば、白、黒、灰、黄、緑、赤、青など、種々なものが用いられてもよい。
【００２３】
また、本例の画面表示部１では、「通常モード」から「お掃除モード」へ切り替えられた場合に、「お掃除モード」の画面表示が開始されてから経過した時間を計時しており、この経過時間が予め設定された所定の時間に達すると、「お掃除モード」の画面表示を終了して「通常モード」の画面表示を行うように遷移する。
また、本例の画面表示部１では、「お掃除モード」の画面表示中に、他の通信装置からの着信が検出された場合には、「お掃除モード」の画面表示を終了して「通常モード」の画面表示を行うように遷移する。
【００２４】
上記のように、本例では、「通常モード」において「お掃除モード」のボタン１２の操作に応じて「お掃除モード」へ移行し、また、「お掃除モード」においてＡボタン２１及びＢボタン２２の操作、或いは、所定時間の経過、或いは、外部からの着信の検出に応じて「通常モード」へ移行する。
なお、「通常モード」から「お掃除モード」へ移行するための条件や、「お掃除モード」から「通常モード」へ移行するための条件としては、それぞれ、１つの条件が用いられてもよく、或いは、複数の条件が用いられてもよい。
【００２５】
次に、「通常モード」の画面表示から「お掃除モード」の画面表示へ遷移する場合の具体例、及び「お掃除モード」の画面表示から「通常モード」の画面表示へ遷移する場合の具体例を示す。
図２に示される「通常モード」の画面表示では、すぐに通信を開始することが可能な状態となっている。画面表示部１を操作する人（操作者）が画面表示部１の汚れを掃除するときには、「お掃除モード」のボタン１２を操作し、これにより、画面表示部１は「お掃除モード」の画面表示へ遷移する。
【００２６】
図３に示される「お掃除モード」の画面表示では、例えば制御部４による制御により、人により特定の操作（本例では、Ａボタン２１及びＢボタン２２の連続操作）が実行されないと「通常モード」の画面表示へ遷移しない状態となっている。このため、このような特定の操作が行われない限り、人はタッチセンサーの挙動を無視して画面表示部１を清掃することができる。
また、このような掃除をしている時に、通信相手からの着信があった場合には、当該着信を通信部３を経由して制御部４により検出し、これに応じて、画面表示部１は「通常モード」の画面表示へ遷移し、人はハンドセット２により通信相手と通話を行うことができる。
また、掃除が終了したときには、人がＡボタン２１とＢボタン２２を順に操作することにより、「お掃除モード」の画面表示から「通常モード」の画面表示へ遷移する。
【００２７】
以上のように、本例の画面表示装置では、タッチセンサー式の表示画面１１をタッチ無効な状態（本例では、「お掃除モード」の状態）とすることにより、人により画面１１の掃除を適切に行うことができる。また、タッチ無効な状態では、統一色の画面表示とすることにより、人により画面１１の汚れを視認し易くすることができる。また、このような統一色の画面表示の色が時間の経過と共に変化することにより、画面１１の汚れの種類に応じて、人により画面１１の汚れを視認し易くすることができる。
また、本例の画面表示装置では、タッチ無効な状態で、画面１１の所定位置（本例では、Ａボタン２１及びＢボタン２２）が所定の順序でタッチされることで、通常の画面表示（本例では、「通常モード」の画面表示）へ復帰する。また、タッチ無効な状態が所定時間経過した場合に、通常の画面表示へ復帰する。また、タッチ無効な状態であるときに着信があった場合に、通常の画面表示へ復帰する。
【００２８】
このように、本例では、タッチセンサーで動作する画面表示装置において、「通常モード」時における画面表示部１の画面１１内に、画面１１の汚れを掃除するときに操作するためのボタン１２を設けておき、人により当該ボタン１２が押されることで、「お掃除モード」の画面表示へ遷移する。また、「お掃除モード」の画面表示へ遷移した画面表示部１では、人により汚れの掃除を行い易くするためにタッチセンサーでの動作を無効にしてあり、また、汚れを見つけ易くするために、表示色を単一色に統一することや、その色を時間の経過に従って切り替えていくことが行われる。また、「お掃除モード」の画面表示から「通常モード」の画面表示への遷移は、画面表示部１の画面１１内に設けられた予め定められた領域が押されること、或いは、予め定められた時間が経過すること、或いは、着信があることにより行われる。
【００２９】
従って、本例の画面表示装置では、画面１１の掃除をする際に「お掃除モード」へ切り替えられることに応じて、統一色で画面１１の表示が行われ、その色が時間の経過に従って切り替えられるため、人により視覚的に掃除を行い易くすることができる。また、人の操作により「お掃除モード」から「通常モード」へ戻すためには、特定のボタン２１、２２を特定の順序で操作することが必要であるため、掃除中に誤って「通常モード」へ戻してしまうようなことを防止することができる。また、所定時間の経過により「お掃除モード」から「通常モード」へ戻るため、「通常モード」への戻し忘れの際には、自動的に「通常モード」へ戻ることができる。
また、本例の画面表示装置では、「お掃除モード」へ遷移することにより、例えば緊急連絡度の高い通信の着信を妨げずに、画面表示部１の清掃を実現することが可能であり、「お掃除モード」中に着信があった場合にはそれに対応して通話を開始させる（受話する）ことが可能であり、通信システムの稼働率を良好にすることができる。
【００３０】
ここで、本例の画面表示装置と同様な技術は、種々なシステムや装置の画面に適用することが可能である。
例えば、タッチセンサーとしては、静電容量結合方式を採用するものなどがあり、表示装置を利用する各種の分野に適用することが可能である。
具体例として、タッチパネルを使用する装置の画面、銀行などのＡＴＭの画面、ゲーム機器の画面、情報端末機器の画面、電化製品の画面、料金所装置の画面、監視装置の画面、自動取引装置の画面、液晶ディスプレイを使用した装置の画面などに適用することが可能である。
【００３１】
なお、本例の画面表示装置では、「通常モード」である第１のモードを制御する第１の制御手段の機能や、「お掃除モード」である第２のモードを制御する第２の制御手段の機能や、モードを切り替えるモード切替手段の機能や、第２のモードが継続的に設定されている時間を計時する計時手段の機能が、画面表示部１や制御部４に備えられている。
また、本例の画面表示装置では、図２に示される「通常モード」における画面１１に表示される通信選択の領域やダイヤルの領域やボタン１２の領域により第１のモードにおける操作受付領域が構成されており、図３に示される「お掃除モード」における画面１１に表示される離隔した２つのボタン２１、２２の領域により第２のモードにおけるモード切替のための複数の操作受付領域が構成されている。
【００３２】
ここで、本発明に係る画面表示装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る画面表示装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３３】
【図１】本発明の一実施例に係る通信システムの画面表示装置の構成例を示す図である。
【図２】「通常モード」における画面表示の一例を示す図である。
【図３】「お掃除モード」における画面表示の一例を示す図である。
【符号の説明】
【００３４】
１・・画面表示部、  ２・・ハンドセット、  ３・・通信部、  ４・・制御部、  １１・・画面、  １２、２１、２２・・ボタン、
【図１】
2007026245.tif 000003
【図２】
2007026245.tif 000004
【図３】
2007026245.tif 000005